(57)【要約】【課題】  縦枠本体部材と被覆部材を分離しても、縦枠本体部材や被覆部材を再利用することができる縦枠を提供すること。【解決手段】  縦枠は、壁側面２ａに固定される縦枠本体部材３０と、縦枠本体部材３０に分離可能に係止される被覆部材３６と、縦枠本体部材３０に被覆部材３６を係止させる金具５２，５６を備える。  金具５２は、その上端５２ｄと縦枠本体部材３０の間が開放された状態で縦枠本体部材３０に固定される。金具５６は、その下端５６ｄと被覆部材３６の間が開放された状態で被覆部材３６に固定される。そして、縦枠本体部材３０の面３４ａと被覆部材３６の面３６ａが向い合った状態で被覆部材３６を下方に移動させた場合に、金具５２の上端５２ｄと縦枠本体部材３０の間に金具５６の下端５６ｄが入り込んで両金具５２，５６が係合することによって縦枠本体部材３０に被覆部材３６が係止する。【選択図】  図５
2005256594.tif 000002
【特許請求の範囲】
【請求項１】
出入口を画定している壁側面に取付けられる縦枠であり、
所定面から挿入された所定部材が貫通することによって、前記壁側面に固定される縦枠本体部材と、
縦枠本体部材に分離可能に係止されるとともに、係止された状態では縦枠本体部材の前記所定面を被覆する被覆部材と、
縦枠本体部材に被覆部材を係止させる少なくとも一対の係止部材とを備え、
一方の係止部材は、その上端と縦枠本体部材の間が開放された状態で縦枠本体部材に固定されるものであり、
他方の係止部材は、その下端と被覆部材の間が開放された状態で被覆部材に固定されるものであり、
縦枠本体部材の係止部材固定面と被覆部材の係止部材固定面が向い合った状態で被覆部材を下方に移動させた場合に、前記一方の係止部材の上端と縦枠本体部材の間に前記他方の係止部材の下端が入り込んで両係止部材が係合することによって縦枠本体部材に被覆部材が係止することを特徴とする縦枠。
【請求項２】
縦枠本体部材及び／又は被覆部材には有底の溝が設けられており、
縦枠本体部材に溝が設けられている場合は、その溝の底面に前記一方の係止部材が固定され、
被覆部材に溝が設けられている場合は、その溝の底面に前記他方の係止部材が固定されることを特徴とする請求項１の縦枠。
【請求項３】
前記一方の係止部材の幅と前記他方の係止部材の幅と前記溝の幅が等しいことを特徴とする請求項２の縦枠。
【請求項４】
前記一方の係止部材の上端と縦枠本体部材の間には隙間が設けられており、
前記一方の係止部材の縦枠本体部材側の面は、その上端から縦枠本体部材に向けて傾斜しており、
前記他方の係止部材の下端と被覆部材の間には隙間が設けられており、
前記他方の係止部材の被覆部材側の面は、その下端から被覆部材に向けて傾斜しており、
前記一方の係止部材の縦枠本体部材側の面と、前記他方の係止部材の被覆部材側の面が接触することによって両係止部材が係合することを特徴とする請求項１から３のいずれかの縦枠。
【請求項５】
請求項１から４のいずれかの縦枠と、出入口を画定している壁上面に取付けられる上枠を有する枠ユニットであり、
縦枠本体部材に被覆部材が係止した状態では、縦枠本体部材と上枠の間に被覆部材の上端が位置することを特徴とする枠ユニット。
【請求項６】
壁の開口部に装着される建具枠の縦枠であり、
壁に固定される縦枠本体部材と、
縦枠本体部材を被覆する被覆部材と、
縦枠本体部材と被覆部材の対向する面のそれぞれに設けられている一対の取付部を備えており、
一方の取付部には、被覆部材を縦枠本体部材に接近させると他方の取付部を受け入れる部位と、その後に被覆部材を下方に移動させると他方の取付部が解除可能に係止する部位が設けられていることを特徴とする縦枠。
【請求項７】
縦枠本体部材と被覆部材の対向する面には、それぞれ上下方向に延びる板状部材が装着されており、板状部材には、一方の取付部と他方の取付部が上下方向に交互に設けられており、縦枠本体部材側の板状部材と被覆部材側の板状部材は、上下逆に装着することによって共通化されていることを特徴とする請求項６の縦枠。
【請求項８】
壁の開口部に装着される建具枠の縦枠であり、
壁に固定される縦枠本体部材と、
縦枠本体部材を被覆する被覆部材と、
縦枠本体部材と被覆部材の対向する面のそれぞれに設けられている一対の取付部を備えており、
一対の取付部は、縦枠本体部材に被覆部材を被覆した状態で被覆部材を下方にスライドさせると被覆部材を縦枠本体部材に固定し、その状態から被覆部材を上方にスライドさせると被覆部材を縦枠本体部材から分離するものであることを特徴とする縦枠。
【発明の詳細な説明】
【技術分野】
【０００１】
本発明は、建物の部屋間を連通する出入口を画定している壁側面に取付けられる縦枠に関する。また、縦枠と、出入口を画定している壁上面に取付けられる上枠を有する枠ユニットに関する。
【背景技術】
【０００２】
特許文献１に、従来の縦枠の構造が開示されている。この縦枠は、出入口を画定している壁側面に固定される縦枠本体部材を有している。縦枠本体部材の反壁側の面には、上下方向に伸びる二本の凹部が設けられている。縦枠本体部材は、壁側面に密着された状態で二本の凹部の間にビスが打ち込まれることによって、壁側面に固定される。このとき、縦枠本体部材の反壁側の面にはビス頭が露出している。このままでは見た目が悪いために、特許文献１の技術では、縦枠本体部材を部分的に被覆してビス頭を隠す被覆部材が用いられる。この被覆部材は、上下方向に伸びる板状の部材であり、その側面には上下方向に伸びる二本の凸部が形成されている。被覆部材の凸部間の間隔は、縦枠本体部材の凹部間の間隔と等しい。縦枠本体部材の二本の凹部に被覆部材の二本の凸部を嵌め込むことによって、縦枠本体部材に被覆部材が嵌合する。縦枠本体部材の二本の凹部間（即ちビスが打ち込まれた部分）が被覆部材によって覆われるために、ビス頭を隠すことができる。
【特許文献１】特開２００１−２０７７３２号公報
【発明の開示】
【発明が解決しようとする課題】
【０００３】
上記した従来の縦枠の場合、縦枠本体部材の凹部に被覆部材の凸部が嵌合して縦枠本体部材に被覆部材が固定されるために、凸部の形状に倣って凹部が広がったり、凹部の形状に倣って凸部が細くなったりする。従って、縦枠本体部材から被覆部材を一旦分離させると、両部材を再び強く嵌合させることができず、縦枠本体部材及び／又は被覆部材を再利用することができない。
例えば、出入口に引き戸が配置されていてその引き戸を交換する場合に、壁から縦枠を取外さなければ引き戸を交換できないことがある。この場合、縦枠本体部材から被覆部材を分離させ、縦枠本体部材に打ち込まれたビスを抜き、縦枠本体部材を壁から取外した後に、引き戸を新しいものに交換する。従来は、このような場合に新しい縦枠を用意する必要がある。
本発明は、上記した実情に鑑みてなされたものであり、縦枠本体部材と被覆部材を分離しても、縦枠本体部材及び／又は被覆部材を再利用することができる縦枠を提供する。
【課題を解決するための手段】
【０００４】
本発明は、出入口を画定している壁側面に取付けられる縦枠である。この縦枠は、所定面から挿入された所定部材（ネジ、釘等）が貫通することによって、前記した壁側面に固定される縦枠本体部材を備える。また、縦枠本体部材に分離可能に係止されるとともに、係止された状態では縦枠本体部材の前記した所定面を被覆する被覆部材を備える。そして、縦枠本体部材に被覆部材を係止させる少なくとも一対の係止部材を備える。
一方の係止部材は、その上端と縦枠本体部材の間が開放された状態で縦枠本体部材に固定される。他方の係止部材は、その下端と被覆部材の間が開放された状態で被覆部材に固定される。そして、縦枠本体部材の係止部材固定面と被覆部材の係止部材固定面が向い合った状態で被覆部材を下方に移動させた場合に、前記した一方の係止部材の上端と縦枠本体部材の間に前記した他方の係止部材の下端が入り込んで両係止部材が係合することによって縦枠本体部材に被覆部材が係止する。
【０００５】
一方の係止部材の上端と縦枠本体部材の間が「開放された状態」とは、一方の係止部材の上端と縦枠本体部材の間に隙間が設けられている状態、又は、一方の係止部材の上端と縦枠本体部材の間に通常は隙間が存在しないが、一方の係止部材の上端に反縦枠本体部材方向の力を作用させることによって隙間を容易に設けることができる状態を意味する。同様に、他方の係止部材の下端と被覆部材の間が「開放された状態」とは、他方の係止部材の下端と被覆部材の間に隙間が設けられている状態、又は、他方の係止部材の下端と被覆部材の間に通常は隙間が存在しないが、他方の係止部材の下端に反被覆部材方向の力を作用させることによって隙間を容易に設けることができる状態を意味する。
上記の縦枠は、一方の係止部材の上端と縦枠本体部材の間が開放されているとともに、他方の係止部材の下端と被覆部材の間が開放されているために、一方の係止部材の上端と縦枠本体部材の間に他方の係止部材の下端が入り込むことができる（他方の係止部材の下端と被覆部材の間に一方の係止部材の上端が入り込むことができる）。これにより、両係止部材が係合し、縦枠本体部材に被覆部材が係止する。縦枠本体部材に被覆部材が係止している状態では、縦枠本体部材における所定部材（ネジ、釘等）が挿入された面が被覆部材で被覆され、ネジ頭等を隠すことができる。
縦枠本体部材に係止している被覆部材を上方に移動させることによって、両係止部材の係合を解除することができ、縦枠本体部材から被覆部材を分離することができる。縦枠本体部材から被覆部材を分離させても、その縦枠本体部材及び／又はその被覆部材を用いて縦枠を再び構成することができる。本発明に係る縦枠を用いると、縦枠本体部材と被覆部材を分離しても、縦枠本体部材及び／又は被覆部材を再利用することができる。
【０００６】
上記した縦枠本体部材及び／又は被覆部材には有底の溝が設けられることが好ましい。そして、縦枠本体部材に溝が設けられている場合は、その溝の底面に前記した一方の係止部材が固定され、被覆部材に溝が設けられている場合は、その溝の底面に前記した他方の係止部材が固定されることが好ましい。
このようにすると、縦枠本体部材に被覆部材が係止された状態での両部材間の距離を小さくすることができる。例えば、両部材を接触させた状態で、縦枠本体部材に被覆部材を係止させることもできる。
【０００７】
前記した一方の係止部材の幅と、前記した他方の係止部材の幅と、前記した溝の幅が等しくなるようにしてもよい。
この場合、一方の係止部材と他方の係止部材が溝内で係合することになり、一方の係止部材に対して他方の係止部材が溝幅方向に移動することが禁止される。このために、縦枠本体部材の係止部材固定面を向いての左右方向に被覆部材が移動することを禁止できる。
【０００８】
前記した一方の係止部材の上端と縦枠本体部材の間には隙間が設けられていてもよい。また、前記した一方の係止部材の縦枠本体部材側の面は、その上端から縦枠本体部材に向けて傾斜していてもよい。また、前記した他方の係止部材の下端と被覆部材の間には隙間が設けられていてもよい。また、前記した他方の係止部材の被覆部材側の面は、その下端から被覆部材に向けて傾斜していてもよい。そして、前記した一方の係止部材の縦枠本体部材側の面と、前記した他方の係止部材の被覆部材側の面が接触することによって両係止部材が係合するようにしてもよい。
この場合、両係止部材がうまく係合し、縦枠本体部材に被覆部材を安定的に係止させることができる。縦枠本体部材に被覆部材が係止された状態では、縦枠本体部材の側面と覆部材の側面が接触しているとともに、被覆部材の下端が床面より高く位置することが好ましい。このようにすると、クサビの要領で、縦枠本体部材に被覆部材を強く係止させることができる。
【０００９】
通常、縦枠は、壁側面の上下方向の全域に亘って配置される。この場合、縦枠本体部材は、その上端が壁上面にほぼ接する高さに設定される。被覆部材は、縦枠本体部材よりも低く設定され、係止している状態から上方に移動できるようになされる。即ち、被覆部材の上端は壁上面よりも低い位置におかれることになる。この場合、被覆部材の上端と壁上面の間の隙間を下方から視認できることになると見栄えが悪い。本発明では、この問題を解決する枠ユニットを提供する。この枠ユニットは、上記したいずれかの縦枠と、出入口を画定している壁上面に取付けられる上枠を有する。そして、縦枠本体部材に被覆部材が係止した状態では、縦枠本体部材と上枠の間に被覆部材の上端が位置する。
この枠ユニットでは、縦枠本体部材と上枠の間に被覆部材の上端が位置するために、被覆部材の上端と壁上面の間の隙間を下方から視認することができない。見栄えのよい枠ユニットを構成することができる。
【００１０】
他の形態の縦枠は、壁の開口部に装着される建具枠のものであり、壁に固定される縦枠本体部材と、縦枠本体部材を被覆する部材と、縦枠本体部材と被覆部材の対向する面のそれぞれに設けられている一対の取付部を備えている。そして、一方の取付部には、被覆部材を縦枠本体部材に接近させると他方の取付部を受け入れる部位と、その後に被覆部材を下方に移動させると他方の取付部が解除可能に係止する部位が設けられている。
この縦枠は、一方の取付部に他方の取付部が解除可能に係止することによって、縦枠本体部材に被覆部材が取り付けられている。よって、縦枠本体部材と被覆部材を分離しても、縦枠本体部材及び／又は被覆部材を再利用することができる。
【００１１】
上記の縦枠では、一方の取付部と他方の取付部が上下方向に交互に設けられている板状部材を用意し、縦枠本体側と被覆部材の対向する面に、板状部材を上下逆にして装着することが好ましい。これによって、縦枠本体側に装着する板状部材と、被覆部材に装着する板状部材を共通化することができる。
【００１２】
壁の開口部に装着される建具枠の縦枠の場合、壁に固定される縦枠本体部材と、縦枠本体部材を被覆する被覆部材と、縦枠本体部材と被覆部材の対向する面のそれぞれに設けられている一対の取付部を備えており、その一対の取付部が、縦枠本体部材に被覆部材を被覆した状態で被覆部材を下方にスライドさせると被覆部材を縦枠本体部材に固定し、その状態から被覆部材を上方にスライドさせると被覆部材を縦枠本体部材から分離するものであることが好ましい。
取付部には、係合する構造や係止する構造を採用することができる。
【発明を実施するための最良の形態】
【００１３】
実施例に記載の技術の主要な特徴を列記しておく。
（形態１）  出入口には引き戸が配置される。縦枠は、引き戸が閉じられたときの衝撃を吸入するクッションとしても機能する。
（形態２）  縦枠本体部材の反壁側の面からネジをねじ込んで貫通させ、そのネジが壁側面に挿入されることによって、縦枠本体部材が壁側面に固定される。
（形態３）  縦枠本体部材の反壁側の面には、上下方向に伸びる有底の溝が形成されている。その溝の底面にネジがねじ込まれて縦枠本体部材が壁側面に固定される。
（形態４）  縦枠本体部材の反壁側の面における左右端部は、高さ方向での全域に亘って反壁方向に突出している。即ち、縦枠本体部材の反壁側の面には、高さ方向での全域に亘って凹部が形成されている。被覆部材は、縦枠本体部材の凹部に上下方向に摺動可能にはまり込む。縦枠本体部材の凹部の深さ（即ち両端部の突出長さ）は、被覆部材の厚みより大きい。
このようにすると、出入口を閉じている引き戸と被覆部材の間から光が漏れることを防止できる。
（形態５）  縦枠本体部材に固定される金具（一方の係止部材）と、被覆部材に固定される金具（他方の係止部材）は同じ形状を有している。両金具は、上下の向きを反対にして縦枠本体部材と被覆部材に固定される。
このようにすると、縦枠を構成する部品種類数を少なくすることができる。
（形態６）  金具は、板状の部材が途中で折れ曲がって形成されている。縦枠本体部材と、それに固定される金具の上端との間には隙間が形成される。被覆部材と、それに固定される金具の下端との間には隙間が形成される。
（形態７）  二対（計４つ）の金具（係止部材）を用いる。縦枠本体部材の高さ方向でのほぼ中央に金具が固定され、被覆部材の高さ方向でのほぼ中央に金具が固定され、これらの金具が係合する。また、縦枠本体部材の下端付近に金具が固定され、被覆部材の下端付近に金具が固定され、これらの金具が係合する。
（形態８）縦枠は、縦枠本体部と被覆部を備えている。
縦枠本体部は、縦枠本体部材とプレートを有している。そのプレートは、縦枠本体部材に固定されている。プレートには、係止用孔とネジ頭が突出した木ネジが上下方向に沿って交互に配置されている。
被覆部は、被覆部材とプレートを備えている。そのプレートは、被覆部材に固定されている。プレートには、係止用孔とネジ頭が突出した木ネジが上下方向に沿って交互に配置されている。
縦枠本体部のプレートと被覆部のプレートは共通化されており、上下逆に装着されている。
被覆部を縦枠本体部に取り付けるときには、被覆部を縦枠本体部に接近させる。そして被覆部を下方に移動させ、縦枠本体部と被覆部のそれぞれのネジ頭と係止用孔を係止させることによって、被覆部を縦枠本体部に取り付ける。
【実施例】
【００１４】
（第１実施例）  図面を参照しながら本発明の実施例について説明する。図１に、建物の各部屋を仕切る壁２，４，６の横断面図を示している。図１では、壁２，４，６の上側と下側にそれぞれ部屋が存在する。左側の壁２と右側の壁４，６の間には、上下の部屋間を連通する出入口８が設けられている。出入口８には、矢印Ｄ１方向に移動可能である引き戸２０が配置されている。図１では、引き戸２０によって出入口８が閉じられている状態が示されている。壁４と壁６は、図１の上下方向に距離を隔てて配置されている。引き戸２０が開かれると（図１の右方向に移動すると）、壁４と壁６の間に引き戸２０が収納されるようになっている。
出入口８は、左側の壁２の側面２ａと、右側の壁４，６の側面４ａ，６ａと、図示省略の壁上面によって画定されている。壁側面２ａには縦枠１０が取付けられている。壁側面４ａには縦枠１２が取付けられており、壁側面６ａには縦枠１４が取付けられている。以下では、縦枠１０の構成について詳細に説明する。
【００１５】
図２に、縦枠１０を拡大して示した横断面図を示す。縦枠１０は、縦枠本体部材３０と被覆部材３６等を備えている。縦枠本体部材３０は、壁側面２ａに固定される部材である。被覆部材３６は、縦枠本体部材３０を部分的に被覆する部材である。
縦枠本体部材３０は、図２の紙面垂直方向に伸びている略板状の部材である。縦枠本体部材３０の高さは、床（図５の符号７０）と出入口８を画定している壁上面の間の距離に等しい。即ち、縦枠本体部材３０は、出入口８を画定している壁側面２ａの高さ方向での全域に亘って配置される。縦枠本体部材３０の両端部３０ａ，３０ｂは、右方向に突出して形成されている。縦枠本体部材３０には、両端部３０ａ，３０ｂが突出することによって凹部３２が形成されている。縦枠本体部材３０は、横断面視すると略コの字形状を有している。図３（ａ）には、縦枠本体部材３０を凹部３２側からみた正面図が示されている。この図３（ａ）をみると、縦枠本体部材３０の突出部３０ａ，３０ｂが、高さ方向（図３の上下方向）の全域に亘って形成されていることがよくわかる（従って凹部３２も高さ方向の全域に亘って形成されている）。図２や図３（ａ）によく示されるように、凹部底面３２ａの幅方向での中央には有底の溝３４が形成されている。溝３４は、縦枠本体部材３０の高さ方向の全域に亘って形成されている。
図２に示されるように、縦枠本体部材３０は、溝３４の底面３４ａからネジ４０がねじ込まれ、そのネジ４０が貫通することによって壁側面２ａに固定される。溝底面３４ａの複数箇所にネジ４０がねじ込まれて縦枠本体部材３０が固定される。
【００１６】
図３（ｂ）に、被覆部材３６の正面図を示している。被覆部材３６は板状の部材である。被覆部材３６の幅（図３では記号Ｓで示している）は、縦枠本体部材３０の凹部３２の幅とほぼ同じ大きさである。被覆部材３６は、凹部３２の底面３２ａに接した状態で縦枠本体部材３０に係止する。どのようにして係止するのかを以下に説明する。
本実施例の縦枠１０は、縦枠本体部材３０に被覆部材３６を係止させるために４つの金具５０，５２，５４，５６を用いる（図３参照）。４つの金具５０，５２，５４，５６は同じ形状であり、以下では金具５０の形状を詳細に説明する。図４の左側には金具５０の正面図が示されており、右側には金具５０の側面図が示されている。金具５０は、金属の板状部材が途中で折れ曲がって形成されている。以下では、図４の上下方向にまっすぐに伸びる部分を第１部分５０ａと呼び、その第１部分５０ａより上側にある折れ曲がった部分を第２部分５０ｂと呼ぶ。金具５０の幅（図４の正面図の左右方向の幅）は、縦枠本体部材３０の溝３４の幅とほぼ同じ大きさである。金具５０の第１部分５０ａにはネジ孔５０ｃが設けられている。このネジ孔５０ｃにはネジ６０が挿入される。符号６０ａは、ネジ６０のネジ頭である。
【００１７】
図３に示されるように、縦枠本体部材３０には２つの金具５０，５２が固定される。各金具５０，５２は溝３４の底面３４ａに固定される。金具５０は、縦枠本体部材３０の高さ方向での中央付近に固定される。金具５２は、縦枠本体部材３０の下端付近に固定される。金具５０，５２のネジ孔５０ｃ，５２ｃにネジを挿入することによって、金具５０，５２が縦枠本体部材３０に固定される。金具５０は、そのネジ孔５０ｃが下にくるようにして固定される。即ち、金具５０は、第１部分５０ａが下側に配置され、第２部分５０ｂが上側に配置されるように固定される。この場合、金具５０の上端５０ｄと縦枠本体部材３０の間には間隙が存在する。同様に、金具５２は、そのネジ孔５２ｃが下にくるようにして固定される。この場合、金具５２の上端５２ｄと縦枠本体部材３０の間には間隙が存在する。
被覆部材３６にも２つの金具５４，５６が固定される。金具５４，５６は、被覆部材３６の幅方向での中央に、距離を隔てて縦に並んで配置される。金具５４は、被覆部材３６の高さ方向での中央付近に配置される。金具５６は、被覆部材３６の下端付近に配置される。各金具５４，５６のネジ孔５４ｃ，５６ｃにネジを挿入することによって、金具５４，５６が被覆部材３６に固定される。金具５４は、そのネジ孔５４ｃが上にくるようにして固定される。即ち、金具５４は、第１部分（符号省略）が上側に配置され、第２部分（符号省略）が下側に配置される。この場合、金具５４の下端５４ｄと被覆部材３６の間には間隙が存在する。金具５６は、そのネジ孔５６ｃが上にくるようにして固定される。この場合、金具５６の下端５６ｄと被覆部材３６の間には間隙が存在する。
【００１８】
図３には、縦枠本体部材３０の下端と被覆部材３６の下端が揃えられた場合に、縦枠本体部材３０に固定された金具５０，５２と、被覆部材３６に固定された金具５４，５６の位置関係がよく示されている。金具５０は、金具５４よりやや下方に位置している。但し、金具５０の上端５０ｄは、金具５４の下端５４ｄよりも上方に位置している。金具５２は、金具５６よりやや下方に位置している。但し、金具５２の上端５２ｄは、金具５６の下端５６ｄよりも上方に位置している。
なお図３をみるとよくわかるが、縦枠本体部材３０の方が、被覆部材３６よりもやや高い。
【００１９】
縦枠本体部材３０に被覆部材３６を係止させる前に、金具５０，５２を縦枠本体部材３０に固定しておき、金具５４，５６を被覆部材３６に固定しておく。また、ネジ４０（図２参照）を用いて縦枠本体部材３０を壁側面２ａに固定しておく。次いで、縦枠本体部材３０の凹部底面３２ａと被覆部材３６の金具固定面３６ａが向い合った状態で、被覆部材３６をやや持ち上げる。そして、被覆部材３６を下方に移動させる。そうすると、金具５０の上端５０ｄと縦枠本体部材３０の間に金具５４の下端５４ｄが入り込み、金具５２の上端５２ｄと縦枠本体部材３０の間に金具５６の下端５６ｄが入り込む。このとき、金具５０の縦枠本体部材側の面と金具５４の被覆部材側の面が係合し、金具５２の縦枠本体部材側の面と金具５６の被覆部材側の面が係合する。
図５には、図２のV−V線断面図を示している。但し、図５では、ネジ４０や引き戸２０の断面を示していない。図５をみると、金具５２と金具５６が係合している様子がよく示されている。金具５０と金具５４が係合して金具５２と金具５６が係合した状態で被覆部材３６を下方にずらしていくと、各金具５０等の第２部分５０ｂ等の傾斜に沿って被覆部材３６が縦枠本体部材３０に近づいていく。そして、被覆部材３６は縦枠本体部材３０の凹部底面３２ａに接触し、これより下方に移動できなくなる。これにより、被覆部材３６が縦枠本体部材３０に係止することになる。
本実施例では、被覆部材３６が縦枠本体部材３０の凹部底面３２ａに接触するのと同時に、被覆部材３６の下端が床７０に接触するように設計されている。但し、この設計を誤差なく精密に行なうのは困難であるために、被覆部材３６が縦枠本体部材３０の凹部底面３２ａに接触したときに、被覆部材３６が床７０から少し浮いてもよいように設計しておいてもよい。この場合、被覆部材３６の重力が、金具５０等の傾斜形状によって縦枠本体部材３０側に働く。即ち、縦枠本体部材３０と被覆部材３６がクサビの要領で係止することになる。これにより、被覆部材３６を縦枠本体部材３０に強固に係止することができる。金具５０等の組み付け誤差等によって、被覆部材３６が縦枠本体部材３０の凹部底面３２ａに接触する前に被覆部材３６が床７０に接地するようであれば、縦枠本体部材３０の凹部底面３２ａと被覆部材３６の間に隙間ができてしまう。これを避けるために、被覆部材３６が床７０から少し浮くように設計しておき、様々な誤差を吸入することができるようにしておくことが好ましい。このようにすると、縦枠本体部材３０の凹部底面３２ａと被覆部材３６の間に隙間ができてしまうという事象を避けることができる。しかも、縦枠本体部材３０に被覆部材３６を強固に係止させることができる。
【００２０】
縦枠本体部材３０に被覆部材３６が係止している状態では、縦枠本体部材３０の溝３４内に、被覆部材３６に固定された金具５４，５６が入り込んでいる。縦枠本体部材３０に対して被覆部材３６が左右方向（図５の紙面垂直方向）に移動しようとすると、金具５４，５６が溝３４の側面に接触する。これにより、被覆部材３６が左右方向に移動することが禁止されている。また本実施例では、縦枠本体部材３０の凹部３２に被覆部材３６が嵌り込んでいる。これによっても、被覆部材３６が左右方向に移動することが禁止される。
なお、図２に示されるように、縦枠本体部材３０の凹部３２の深さＳ１は、被覆部材３６の厚みＳ２より大きい。即ち、縦枠本体部材３０の凹部３２に被覆部材３６が嵌り込んだ状態では、凸部３０ａ，３０ｂは被覆部材３６を越えて突出している。このようにすることで、被覆部材３６と引き戸２０の間から明かりが漏れることを防止している。
【００２１】
図６（ａ）には、縦枠１０を上方からみた平面図を示している。図６（ｂ）は、図６（ａ）の側面図である。符号８０は上枠（鴨居ともいう）である。縦枠１０と上枠８０は接触している。本実施例では、縦枠１０と上枠８０をあわせて枠ユニット１００と称する。
上枠８０は、出入口８（図１参照）を画定している壁上面（図示省略）に固定されるものである。上枠８０は、平面視すると、その左端の中央部が左方向に突出している形状を有している。そして、その突出している部分が縦枠本体部材３０の凹部３２に嵌り込んでいる。図６（ｂ）によく示されるように、縦枠本体部材３０の上面３０ｃと上枠８０の上面８０ａは同じ高さ（即ち出入口８を画定している壁上面の高さ）に位置している。縦枠本体部材３０の凹部底面３２ａと上枠８０の左端の間には隙間が設けられており、その隙間に被覆部材３６が入り込んでいる。被覆部材３６の上面３６ｃは、上枠８０の下面８０ｂより上方であって上枠８０の上面８０ａより下方に位置している。被覆部材３６が縦枠本体部材３０に係止されている状態では、被覆部材３６と上枠８０の間にわずかな隙間Ｍが存在する。
【００２２】
ここでは、枠ユニット１００を出入口８に取付ける手順について説明しておく。まず、縦枠本体部材３０に金具５０，５２を固定する。そして、金具５０，５２が固定された縦枠本体部材３０を壁側面２ａに固定する。これはネジ４０を縦枠本体部材３０にねじ込むことによって行なわれる。
次いで、縦枠本体部材３０に接触するように位置決めしながら上枠８０を壁上面（図示省略）に固定する。例えば、ネジや釘を上枠８０に挿入させて貫通させることによって、上枠８０を壁上面に固定してもよい。また例えば、接着剤等を用いて上枠８０を壁上面に固定してもよい。
被覆部材３６に金具５４，５６を固定する。そして、金具５４，５６が固定された被覆部材３６を持ち上げて縦枠本体部材３０と上枠８０の間に入れた後に、被覆部材３６を下方に移動させる。これにより、被覆部材３６が縦枠本体部材３０に係止する。
縦枠本体部材３０に被覆部材３６が係止した状態では、被覆部材３６の上端３６ｃは縦枠本体部材３０と上枠８０の間に位置している。このために、被覆部材３６の上端３６ｃと壁上面の間の隙間を下方から視認することができない。見栄えのよい枠ユニット１００が構成されている。
【００２３】
縦枠本体部材３０から被覆部材３６を分離させる場合は、まず、被覆部材３６を上方に少し持ち上げて金具５０，５２と金具５４，５６の係合を解除させる。次いで、上方に持ち上げた状態で被覆部材３６を反縦枠本体部材側に引く。これにより、被覆部材３６を縦枠本体部材３０から分離することができる。図６（ａ）に示す隙間Ｍが設けられているために、被覆部材３６を反縦枠本体部材側に引くことができる。
本実施例によると、上枠１００を取外さないでも、縦枠本体部材３０から被覆部材３６を分離することができる。被覆部材３６は上方に持ち上げるだけで容易に分離させることができる。分離された被覆部材３６は、縦枠本体部材３０に再び係止させることができる。被覆部材３６を一旦分離しても、縦枠本体部材３０や被覆部材３６を再び利用することができる。
【００２４】
図１に示されるように、縦枠１０と縦枠１２，１４の間の距離は引き戸２０の左右方向の幅よりも小さい。従って、引き戸２０を新しいものに交換する場合に、縦枠１０を壁側面２ａから取外す必要がある。この場合、被覆部材３６を縦枠本体部材３０から分離させ、次いでネジ４０（図２参照）を抜くことによって、縦枠１０を取外す。引き戸２０を交換した後には、縦枠本体部材３０と被覆部材３６を再び利用して縦枠１０を構成することができる。本実施例の縦枠１０によると、被覆部材３６を分離しても、縦枠本体部材１０や被覆部材３６を再利用することができる。
また、上記した従来の縦枠（特許文献１の縦枠）の場合、凸部が設けられた被覆部材を用いるために、例えば木製の被覆部材を用いる場合には、凸部を設ける加工を施す必要がある。本実施例では、このような面倒な加工をする必要がなく、金具５０等を用いるだけで縦枠本体部材１０と被覆部材３６を係止させることができる。また従来の縦枠では、樹脂成形等を利用することにより、加工することなく被覆部材を成形することもできるが、この場合は材料が限定されてしまう（木製の被覆部材を利用することができない）。本実施例では、種々の材料を用いて被覆部材３６を構成することができる。
【００２５】
なお、図１に示される縦枠１２，１４は、縦枠本体部材３０の凸部３０ａ，３０ｂがない点を除けば、縦枠１０とほぼ同じ構成を有する。即ち、縦枠本体部材と被覆部材と両部材を係止させる金具によって構成されている。縦枠１２や縦枠１４は、縦枠本体部材から被覆部材を分離させても、縦枠本体部材や被覆部材を再利用することができる。
【００２６】
（第２実施例）
ここでは、第１実施例と異なる点を中心に説明する。本実施例では、縦枠本体部材３０に被覆部材３６を係止させる金具の形状が第１実施例と異なる。
図７には、本実施例で用いる金具１５２，１５６の形状が示されている。図７（ａ）は、縦枠本体部材３０に被覆部材３６が係止する前の状態を示している。図７（ｂ）は、縦枠本体部材３０に被覆部材３６が係止している状態を示している。本実施例では、縦枠本体部材３０に固定される金具１５２の形状と、被覆部材３６に固定される金具１５６の形状が異なる。
【００２７】
金具１５２は、縦枠本体部材３０に面的に接触している第１部分１５２ａと、その第１部分１５２ａの上端から反縦枠本体部材側に傾斜して形成されている第２部分１５２ｂと、その第２部分１５２ｂの上端から縦枠本体部材側に傾斜して形成されている第３部分１５２ｃとによって構成されている。第１部分１５２ａにはネジ孔が設けられており、そのネジ孔にネジが挿入されることによって金具１５２が縦枠本体部材３０に固定される。ネジ孔が下にくるように配置される点は第１実施例と同じである。第２部分１５２ｂは、矢印Ｄ３方向に弾性変形する。縦枠本体部材３０に被覆部材３６が係止する前の状態では、金具１５２の上端１５２ｄは縦枠本体部材３０に接している。但し、金具１５２の上端１５２ｄが右方向に押されると、金具１５２の第２部分１５２ｂと第３部分１５２ｃが右方向に弾性変形し、上端１５２ｄと縦枠本体部材３０の間には隙間が形成される。このとき、第２部分１５２ｂと第３部分１５２ｃは、左方向（即ち縦枠本体部材側）に付勢する。
金具１５６は、被覆部材３６に面的に接触している第１部分１５６ａと、その第１部分１５６ａの下端から反被覆部材側に伸びている第２部分１５６ｂと、その第２部分１５６ｂの左端から下方に伸びている第３部分１５６ｃとによって構成されている。第１部分１５６ａにはネジ孔が設けれており、そのネジ孔にネジが挿入されることによって金具１５６が被覆部材３６に固定される。ネジ孔が上にくるように配置される点は第１実施例と同じである。金具１５６の下端１５６ｄと被覆部材３６の間には隙間が設けられている。金具１５６の左右方向の長さは、縦枠本体部材３０の溝３４（図２、図３参照）の深さに等しい。従って、縦枠本体部材３０の凹部底面３２ａに被覆部材３６が接触した場合は、金具１５６の第３部分１５６ｃが縦枠本体部材３０の溝底面３４ａに面的に接触する。なお、金具１５６の左右方向の長さを、縦枠本体部材３０の溝３４の深さよりもやや短めに設計するようにしてもよい。
第１実施例と同様に、縦枠本体部材３０と被覆部材３６には、それぞれ２つずつ金具が固定される（図７では金具１５２と金具１５６しか図示していない）。各金具１５２，１５６等の位置関係は第１実施例と同様である。即ち、縦枠本体部材３０の下端と被覆部材３６の下端を揃えた場合に、縦枠本体部材３０に固定される金具１５２等の上端１５２ｄが、被覆部材３６に固定される金具１５６等の下端１５６ｄよりも上方に位置する。
【００２８】
図７（ａ）の状態から被覆部材３６を下方に移動させる（矢印Ｄ２方向に移動させる）と、金具１５６の下端１５６ｄが金具１５２の上端１５２ｄに接触する。これよりさらに被覆部材３６を下方に移動させると、金具１５２の第２部分１５２ｂと第３部分１５２ｃが右方向に弾性変形して、金具１５２の上端１５２ｄと縦枠本体部材３０の間に隙間が形成され、その隙間に金具１５６の下端１５６ｄが入り込む。そして、被覆部材３６をさらに下方に移動させると、被覆部材３６が床７０に接地する。図７（ｂ）には、この状態が示されている。この状態では、金具１５２が左方向に付勢して金具１５６を押さえつけている。金具１５２と金具１５６が強く係合しており、被覆部材３６が縦枠本体部材３０に強く係止している。本実施例によると、縦枠本体部材３０に被覆部材３６をより安定的に係止させることができる。
【００２９】
例えば、縦枠本体部材３０や被覆部材３６には種々の材料を用いることができる。また、係止部材（実施例では金具５０等）は、金属以外の材料を用いて構成してもよい。また、ネジ４０（図２参照）を用いて縦枠本体部材３０を固定しているが、かわりに釘等を用いてもよい。また、金具５０等は、ネジ６０（図４参照）を用いずに接着剤等で固定するようにしてもよい。
上記実施例では、縦枠１０を取外して引き戸２０を交換する例を説明したが、縦枠１０を取外さないで縦枠１２や縦枠１４を取外して引き戸２０を交換することもできる。
また、上記した実施例では、縦枠本体部材３０に溝３４を設けているが、かわりに被覆部材３６に溝を設けるようにしてもよい。また縦枠本体部材３０と被覆部材３６の両方に溝を設けるようにしてもよい。
【００３０】
（第３実施例）
第１実施例、第２実施例と重複する部分は省略し、本第３実施例として特徴的な内容のみを説明する。
本第３実施例の技術は、図１に示されている縦枠１０、縦枠１２、縦枠１４に好適に適用することができる。以下においては、その技術を縦枠１２に適用したものとして説明を進める。
図８に示すように、縦枠１２は、縦枠本体部２０１と被覆部２０２を備えている。なお、図８、および後述する図９、図１３では、図示の都合上、縦枠本体部２０１と被覆部２０２の幅（出入方向の長さ）を実際よりも大きく示している。すなわち、実際の縦枠本体部２０１と被覆部２０２は、図示されているよりも細長い。縦枠本体部２０１は、ネジ（図示省略）によって壁４に固定されている。
図９に示すように、縦枠本体部２０１は、縦枠本体部材２０３、プレート２０４、２つの木ネジ２０５を有している。図１０に示すように、縦枠本体部材２０３には、その長手方向に延びる浅い第１溝２０６と、第１溝２０６の底面に開口する第２溝２０７が形成されている。縦枠本体部材２０３は、木製である。図９に示すように、プレート２０４は、第１溝２０６内に配置された状態で、木ネジ（図示省略）によって縦枠本体部材２０３に固定されている。プレート２０４には、係止用孔２０８が２つ設けられている。図１１に良く示すように、係止用孔２０８は縦長の孔であり、その上部は半円弧状に形成されている。そして、係止用孔２０８の幅は、上部の半円弧状部分を最大として、上部よりも下部の方が小さくなっている。
【００３１】
図１２に示すように、木ネジ２０５は、皿状のネジ頭２１１を持っている。木ネジ２０５は、プレート２０４に形成された孔２１０を通過した状態で、縦枠本体部材２０３にネジ込まれている。孔２１０の径は、木ネジ２０５の軸部の径よりも僅かに大きい寸法とされている。このため、ネジ頭２１１は、木ネジ２０５が縦枠本体部材２０３にネジ込まれた状態で、プレート２０４に当接して突出する。
【００３２】
図１３に示すように、被覆部２０２は、被覆部材２２０、プレート２２１、２つの木ネジ２２２を有している。図１４に示すように、被覆部材２２０は木製であり、Ｌ字状の横断面を持っている。被覆部材２２０には、縦枠本体部材２０３の第１溝２０６と第２溝２０７と同形状の第３溝２２３と第４溝２２４が形成されている。図１３に示すように、プレート２２１は、第３溝２２３内に配置された状態で、木ネジ（図示省略）によって被覆部材２２０に固定されている。プレート２２１は、縦枠本体部２０１のプレート２０４を上下逆に装着したものである。すなわち、被覆部２０２のプレート２２１と、縦枠本体部２０１のプレート２０４は、共通化されている。従って、プレート２２１には、図９に示されている係止用孔２０８とは上下が逆になった係止用孔２２５が形成されていることになる。木ネジ２２２は、縦枠本体部２０１と同様にして被覆部材２２０にネジ込まれている。木ネジ２２２のネジ頭２２６は、プレート２２１から突出している。
縦枠本体部材２０１のネジ頭２１１の径は、被覆部２０２の係止用孔２２５の上部幅よりも大きく、係止用孔２２５の下部幅よりも小さい。被覆部２０２のネジ頭２２６の径は、係止用孔２０８の上部幅よりも小さく、係止用孔２０８の下部幅よりも大きい。
【００３３】
縦枠本体部２０１に被覆部２０２を取り付けるときには、被覆部２０２のプレート２２１が固定されている面を、縦枠本体部２０１のプレート２０４が固定されている面に対向させる。そして、被覆部２０２を縦枠本体部２０１に接近させることによって、縦枠本体部２０１のネジ頭２１１を被覆部２０２の係止用孔２２５の下部に入り込ませるとともに、被覆部２０２のネジ頭２２６を縦枠本体部２０１の係止用孔２０８の上部に入り込ませる。その状態で被覆部２０２を下方に移動させると、ネジ頭２１１が係止用孔２２５の上部に配置され、ネジ頭２２６が係止用孔２０８の下部に配置される。上述したように、木ネジ２０５のネジ頭２１１の径は、係止用孔２２５上部の幅よりも大きく、木ネジ２２２のネジ頭２２６の径は、係止用孔２０８の下部の幅よりも大きい。従って、ネジ頭２１１が係止用孔２２５の上部に配置されてプレート２２１に係止し、ネジ頭２２６が係止用孔２０８の下部に配置されてプレート２０４に係止することによって、被覆部２０２は縦枠本体部２０１に取り付けられる。図１５は、被覆部２０２の木ネジ２２２のネジ頭２２６が、縦枠本体部２０１のプレート２０４の係止用孔２０８の下部に配置された状態を図示している。この状態では、木ネジ２２２のネジ頭２２６は、縦枠本体部材２０３の第２溝２０７内に位置している。
【００３４】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時の請求項記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００３５】
【図１】出入口を画定している壁の横断面図を示す。
【図２】縦枠の横断面図を示す。
【図３】（ａ）縦枠本体部材の正面図である。（ｂ）被覆部材の正面図である。
【図４】（ａ）金具の正面図である。（ｂ）金具の側面図である。
【図５】図２のV−V線断面図である。
【図６】（ａ）枠ユニットの平面図を示す。（ｂ）枠ユニットの側面図を示す。
【図７】（ａ）第２実施例の金具を説明するための図である。（ｂ）（ａ）の状態から被覆部材を下方に移動させた後の図を示す。
【図８】縦枠の斜視図。
【図９】縦枠本体部材の斜視図。
【図１０】縦枠本体部材の断面図。
【図１１】図９のXI−XI線矢視図。
【図１２】図９のXII−XII線断面図。
【図１３】被覆部材の斜視図。
【図１４】被覆部材の断面図。
【図１５】縦枠本体部に被覆部が取り付けられた状態の断面図。
【符号の説明】
【００３６】
２：壁、２ａ：出入口を画定している壁側面
４：壁、４ａ：出入口を画定している壁側面
６：壁、６ａ：出入口を画定している壁側面
８：出入口
１０：壁側面２ａに取付けられる縦枠
１２：壁側面４ａに取付けられる縦枠
１４：壁側面６ａに取付けられる縦枠
２０：引き戸
３０：縦枠本体部材、３０ａ：突出部、３０ｂ：突出部、３０ｃ：上面
３２：凹部、３２ａ：凹部の底面
３４：溝、３４ａ：溝の底面
３６：被覆部材、３６ａ：被覆部材の金具固定面、３６ｃ：上面
４０：ネジ
５０：金具、５０ａ：第１部分、５０ｂ：第２部分、５０ｃ：ネジ孔、５０ｄ：上端
５２：金具、５２ｃ：ネジ孔、５２ｄ：上端
５４：金具、５４ｃ：ネジ孔、５４ｄ：下端
５６：金具、５６ｃ：ネジ孔、５６ｄ：下端
６０：ネジ、６０ａ：ネジ頭
７０：床
８０：上枠、８０ａ：上面、８０ｂ：下面
２０１：縦枠本体部
２０２：被覆部
２０３：縦枠本体部材
２０４：プレート
２０５：木ネジ
２０６：第１溝
２０７：第２溝
２０８：係止用孔
２１０：孔
２１１：ネジ頭
２２０：被覆部材
２２１：プレート
２２２：木ネジ
２２３：第３溝
２２４：第４溝
２２５：係止用孔
２２６：ネジ頭
【図１】
2005256594.tif 000003
【図２】
2005256594.tif 000004
【図３】
2005256594.tif 000005
【図４】
2005256594.tif 000006
【図５】
2005256594.tif 000007
【図６】
2005256594.tif 000008
【図７】
2005256594.tif 000009
【図８】
2005256594.tif 000010
【図９】
2005256594.tif 000011
【図１０】
2005256594.tif 000012
【図１１】
2005256594.tif 000013
【図１２】
2005256594.tif 000014
【図１３】
2005256594.tif 000015
【図１４】
2005256594.tif 000016
【図１５】
2005256594.tif 000017